(57)【要約】【課題】外観性を向上できるとともに、手摺壁に生じる誤差を吸収することが可能な手摺用笠木を提供することを目的とする。【解決手段】少なくとも屋外側表面に外壁材２が取り付けられた手摺壁１の上端に固定される笠木本体１１と、外壁材２の表面に沿って垂下する垂直板部１２ａを有する補助笠木部材１２と、これら笠木本体１１と補助笠木部材１２とを接続する接続手段とを備え、この接続手段は、笠木本体１１に形成され、屋外側に向かって開口する被差込部１３と、補助笠木部材１２に形成され、被差込部１３に差し込まれる差込部１４とを備え、この差込部１４の被差込部１３に対する差込深さに応じて、外壁材２の表面と垂直板部１２ａの表面との間の距離が調節可能な手摺用笠木１０。これにより、差込部を被差込部に対して深く差し込むと、外壁材の表面と垂直板部の表面との間の距離を縮めることができる。【選択図】図１
2008231667.tif 000002
【特許請求の範囲】
【請求項１】
少なくとも屋外側表面に外壁材が取り付けられた手摺壁の上端に固定される笠木本体と、前記外壁材の表面に沿って垂下する垂直板部を有する補助笠木部材と、これら笠木本体と補助笠木部材とを接続する接続手段とを備えており、
この接続手段は、前記笠木本体に形成され、屋外側に向かって開口する被差込部と、前記補助笠木部材に形成され、前記被差込部に差し込まれる差込部とを備えており、
前記笠木本体および補助笠木部材は、前記差込部と被差込部との差込深さに応じて、これら差込部および被差込部の差込方向に沿って互いに位置調整可能となっていることを特徴とする手摺用笠木。
【請求項２】
請求項１に記載の手摺用笠木において、
前記被差込部および差込部に、互いに係合する凹凸部が形成されていることを特徴とする手摺用笠木。
【請求項３】
請求項１に記載の手摺用笠木において、
前記補助笠木部材の垂直板部の表面に、前記外壁材と同一材料からなる補助外壁材が取り付けられており、この補助外壁材の表面は、前記外壁材の表面と略面一となっていることを特徴とする手摺用笠木。
【請求項４】
請求項１〜３のいずれか一項に記載の手摺用笠木において、
前記外壁材と笠木本体との間に防水処理が施されていることを特徴とする手摺用笠木。
【請求項５】
請求項１〜４のいずれか一項に記載の手摺用笠木において、
前記補助笠木部材は、前記笠木本体の上面を覆う上面板部を備えており、この上面板部と前記笠木本体の上面との間に防水処理が施されていることを特徴とする手摺用笠木。
【発明の詳細な説明】
【技術分野】
【０００１】
本発明は、手摺壁の上端を覆うようにして設けられる手摺用笠木に関する。
【背景技術】
【０００２】
バルコニー等に立設される手摺壁の上端には手摺用笠木が被せられるようにして設けられる（例えば、特許文献１参照）。これは、例えばバルコニーの手摺壁を装飾するものであり、人が腕等を乗せ掛け、体を傾斜させて体重をかける場合等に、その荷重を受けるものでもある。したがって、構造的安全性だけでなく、人の感覚を満足させるような、意匠的、材料的にも優れたものが望ましい。
【特許文献１】特開２００６−３２８７３８号公報
【発明の開示】
【発明が解決しようとする課題】
【０００３】
ところで、例えば手摺壁の上端に手摺用笠木を被せる際に、手摺用笠木のサイズが手摺壁の上端に対して余裕のないものであった場合、手摺壁の壁面に表出する膨らみや凹み等の若干の誤差を吸収できない。このため、例えば、特許文献１に記載の手摺用笠木は、外方に向かって出っ張るように形成されて、手摺壁の壁面との間に隙間を形成できるようになっており、これによって、手摺壁に生じる誤差を吸収できるようになっている。
ところが、特に手摺壁の前面は、隣家や外部からの視線に入ってしまうため、手摺用笠木と手摺壁の前面との間に生じる隙間、すなわち、手摺用笠木の前方への出っ張りを極力小さくしたいという要望があった。
【０００４】
本発明の課題は、外観性を向上できるとともに、手摺壁に生じる誤差を吸収することが可能な手摺用笠木を提供することを目的とする。
【課題を解決するための手段】
【０００５】
請求項１に記載の発明は、手摺用笠木１０（１０Ａ，１０Ｂ）であり、例えば図１〜図３に示すように、少なくとも屋外側表面に外壁材２（２Ａ，２Ｂ）が取り付けられた手摺壁１（１Ａ，１Ｂ）の上端に固定される笠木本体１１（１１Ａ，１１Ｂ）と、前記外壁材２（２Ａ，２Ｂ）の表面に沿って垂下する垂直板部１２ａ（１２Ａａ，１２Ｂａ）を有する補助笠木部材１２（１２Ａ，１２Ｂ）と、これら笠木本体１１（１１Ａ，１１Ｂ）と補助笠木部材１２（１２Ａ，１２Ｂ）とを接続する接続手段とを備えており、
この接続手段は、前記笠木本体１１（１１Ａ，１１Ｂ）に形成され、屋外側に向かって開口する被差込部１３（１３Ａ，１３Ｂ）と、前記補助笠木部材１２（１２Ａ，１２Ｂ）に形成され、前記被差込部１３（１３Ａ，１３Ｂ）に差し込まれる差込部１４（１４Ａ，１４Ｂ）とを備えており、
前記笠木本体１１（１１Ａ，１１Ｂ）および補助笠木部材１２（１２Ａ，１２Ｂ）は、前記差込部１４（１４Ａ，１４Ｂ）と被差込部１３（１３Ａ，１３Ｂ）との差込深さに応じて、これら差込部１４（１４Ａ，１４Ｂ）および被差込部１３（１３Ａ，１３Ｂ）の差込方向に沿って互いに位置調整可能となっていることを特徴とする。
【０００６】
請求項１に記載の発明によれば、前記笠木本体１１（１１Ａ，１１Ｂ）および補助笠木部材１２（１２Ａ，１２Ｂ）は、前記差込部１４（１４Ａ，１４Ｂ）と被差込部１３（１３Ａ，１３Ｂ）との差込深さに応じて、これら差込部１４（１４Ａ，１４Ｂ）および被差込部１３（１３Ａ，１３Ｂ）の差込方向に沿って互いに位置調整可能となっているので、前記差込部１４（１４Ａ，１４Ｂ）を被差込部１３（１３Ａ，１３Ｂ）に対して深く差し込むと、これら差込部１４（１４Ａ，１４Ｂ）および被差込部１３（１３Ａ，１３Ｂ）の差込方向に沿って前記笠木本体１１（１１Ａ，１１Ｂ）と補助笠木部材１２（１２Ａ，１２Ｂ）とを接近させることができ、逆に前記差込部１４（１４Ａ，１４Ｂ）を被差込部１３（１３Ａ，１３Ｂ）に対して浅く差し込むと、これら差込部１４（１４Ａ，１４Ｂ）および被差込部１３（１３Ａ，１３Ｂ）の差込方向に沿って前記笠木本体１１（１１Ａ，１１Ｂ）と補助笠木部材１２（１２Ａ，１２Ｂ）とを離間させることができる。これによって、前記外壁材２（２Ａ，２Ｂ）の表面と前記垂直板部１２ａ（１２Ａａ，１２Ｂａ）の表面との間の距離を縮めることができるので、従来に比して、前記手摺用笠木１０（１０Ａ，１０Ｂ）の屋外側への出っ張りを極力小さくすることができ、手摺壁１（１Ａ，１Ｂ）付近の外観性を向上させることができる。
その上、例えば手摺壁１（１Ａ，１Ｂ）の屋外側表面および屋内側表面に膨らみや凹み等の誤差が生じている場合であっても、前記差込部１４（１４Ａ，１４Ｂ）と被差込部１３（１３Ａ，１３Ｂ）との差込深さを調節することで、笠木本体１１（１１Ａ，１１Ｂ）と補助笠木部材１２（１２Ａ，１２Ｂ）とを誤差に合わせて位置調整できるので、膨らみや凹み等の誤差を確実に吸収することができる。
【０００７】
請求項２に記載の発明は、例えば図１および図２に示すように、請求項１に記載の手摺用笠木１０（１０Ａ）において、
前記被差込部１３（１３Ａ）および差込部１４（１４Ａ）に、互いに係合する凹凸部１３ａ（１３Ａａ），１４ａ（１４Ａａ）が形成されていることを特徴とする。
【０００８】
請求項２に記載の発明によれば、前記被差込部１３（１３Ａ）および差込部１４（１４Ａ）に、互いに係合する凹凸部１３ａ（１３Ａａ），１４ａ（１４Ａａ）が形成されているので、これら凹凸部１３ａ（１３Ａａ），１４ａ（１４Ａａ）が互いに係合し合い、被差込部１３（１３Ａ）と差込部１４（１４Ａ）とを強固に接続することができる。
【０００９】
請求項３に記載の発明は、例えば図３に示すように、請求項１に記載の手摺用笠木１０Ｂにおいて、
前記補助笠木部材１２Ｂの垂直板部１２Ｂａの表面に、前記外壁材２Ｂと同一材料からなる補助外壁材２Ｂａが取り付けられており、この補助外壁材２Ｂａの表面は、前記外壁材２Ｂの表面と略面一となっていることを特徴とする。
【００１０】
請求項３に記載の発明によれば、前記補助笠木部材１２Ｂの垂直板部１２Ｂａの表面に、前記外壁材２Ｂと同一材料からなる補助外壁材２Ｂａが取り付けられており、この補助外壁材２Ｂａの表面は、前記外壁材２Ｂの表面と略面一となっているので、手摺壁１Ｂ付近の外観性をより向上させることができる。
また、このように前記補助外壁材２Ｂａの垂直板部１２Ｂａの表面と、前記外壁材２Ｂの表面とが略面一となっているので、前記差込部１４Ｂと被差込部１３Ｂとの差込深さを調節することによって、前記補助笠木部材１２Ｂに対して笠木本体１１Ｂの位置を調整できる。これによって、例えば手摺壁１Ｂの屋内側表面に膨らみや凹み等の誤差が生じている場合であっても、前記差込部１４Ｂと被差込部１３Ｂとの差込深さを調節することで、笠木本体１１Ｂを誤差に合わせて位置調整できるので、膨らみや凹み等の誤差を確実に吸収することができる。
【００１１】
請求項４に記載の発明は、例えば図１〜図３に示すように、請求項１〜３のいずれか一項に記載の手摺用笠木１０（１０Ａ，１０Ｂ）において、
前記外壁材２（２Ａ，２Ｂ）と笠木本体１１（１１Ａ，１１Ｂ）との間に防水処理が施されていることを特徴とする。
【００１２】
請求項４に記載の発明によれば、前記外壁材２（２Ａ，２Ｂ）と笠木本体１１（１１Ａ，１１Ｂ）との間に防水処理が施されているので、これら外壁材２（２Ａ，２Ｂ）と笠木本体１１（１１Ａ，１１Ｂ）との間から雨水が浸入するのを防ぐことができ、手摺壁１（１Ａ，１Ｂ）付近の防水性を向上できる。
【００１３】
請求項５に記載の発明は、例えば図１〜図３に示すように、請求項１〜４のいずれか一項に記載の手摺用笠木１０（１０Ａ，１０Ｂ）において、
前記補助笠木部材１２（１２Ａ，１２Ｂ）は、前記笠木本体１１（１１Ａ，１１Ｂ）の上面を覆う上面板部１２ｂ（１２Ａｂ，１２Ｂｂ）を備えており、この上面板部１２ｂ（１２Ａｂ，１２Ｂｂ）と前記笠木本体１１（１１Ａ，１１Ｂ）の上面との間に防水処理が施されていることを特徴とする。
【００１４】
請求項５に記載の発明によれば、前記補助笠木部材１２（１２Ａ，１２Ｂ）は、前記笠木本体１１（１１Ａ，１１Ｂ）の上面を覆う上面板部１２ｂ（１２Ａｂ，１２Ｂｂ）を備えており、この上面板部１２ｂ（１２Ａｂ，１２Ｂｂ）と前記笠木本体１１（１１Ａ，１１Ｂ）の上面との間に防水処理が施されているので、これら補助笠木部材１２（１２Ａ，１２Ｂ）と笠木本体１１（１１Ａ，１１Ｂ）との間から雨水が浸入するのを防ぐことができ、手摺壁１（１Ａ，１Ｂ）付近の防水性をより向上できる。
【発明の効果】
【００１５】
本発明によれば、笠木本体と補助笠木部材とを接続する接続手段は、屋外側に向かって開口する被差込部と、この被差込部に差し込まれる差込部とを備えており、笠木本体および補助笠木部材は、差込部と被差込部との差込深さに応じて、これら差込部および被差込部の差込方向に沿って互いに位置調整可能となっているので、差込部を被差込部に対して深く差し込むと、これら差込部および被差込部の差込方向に沿って笠木本体と補助笠木部材とを接近させることができ、逆に差込部を被差込部に対して浅く差し込むと、これら差込部および被差込部の差込方向に沿って笠木本体と補助笠木部材とを離間させることができる。これによって、外壁材の表面と垂直板部の表面との間の距離を縮めることができるので、従来に比して、手摺用笠木の屋外側への出っ張りを極力小さくすることができ、手摺壁付近の外観性を向上させることができる。
その上、例えば手摺壁の屋外側表面および屋内側表面に膨らみや凹み等の誤差が生じている場合であっても、差込部と被差込部との差込深さを調節することで、笠木本体と補助笠木部材とを誤差に合わせて位置調整できるので、膨らみや凹み等の誤差を確実に吸収することができる。
【発明を実施するための最良の形態】
【００１６】
以下、図面を参照して本発明の実施の形態について説明する。
【００１７】
（第１の実施の形態）
本実施の形態の手摺用笠木１０は、図１に示すように、少なくとも屋外側表面に外壁材２が取り付けられた手摺壁１の上端に固定される笠木本体１１と、前記外壁材２の表面に沿って垂下する垂直板部１２ａを有する補助笠木部材１２と、これら笠木本体１１と補助笠木部材１２とを接続する接続手段とを備えており、この接続手段は、前記笠木本体１１に形成され、屋外側に向かって開口する被差込部１３と、前記補助笠木部材１２に形成され、前記被差込部１３に差し込まれる差込部１４とを備えており、この差込部１４の被差込部１３に対する差込深さに応じて、前記外壁材２の表面と前記垂直板部１２ａの表面との間の距離が調節可能となっている。
【００１８】
前記手摺壁１は、例えばバルコニー等に立設されるものであり、本実施の形態においては壁パネルからなる。この壁パネルとは、縦横の框材が矩形状に組み立てられるとともに、矩形枠の内部に補助棧材が縦横に組み付けられて枠体が構成され、この枠体の両面に、面材が貼設されたものである。
また、この手摺壁１の表面には、上述したように前記外壁材２が取り付けられている。本実施の形態において外壁材２は、屋外側表面だけでなく、屋内側表面にも取り付けられている。
【００１９】
前記笠木本体１１は、例えばアルミ等の金属を、手摺壁１の長さ方向に沿って長尺となるように押出成形してなり、前記手摺壁１の上面を広範囲にわたって覆う上面部１１ａと、この上面部１１ａと一体形成され、上面部１１ａの屋内側端部から下方に垂下する側面部１１ｂとを備えている。
【００２０】
また、前記上面部１１ａは、屋外側端部から屋内側端部に向かうにつれて下がっていくように傾斜している。そして、この上面部１１ａの屋外側端部には、前記屋外側に向かって開口する被差込部１３が形成されている。
【００２１】
さらに、前記上面部１１ａおよび側面部１１ｂの裏面には、長さ方向に沿って互いに隣接する笠木本体１１同士を連結するための連結部材１５が設けられている。つまり、この連結部材１５を、隣接する笠木本体１１同士の境目に、上面部１１ａおよび側面部１１ｂの裏面から架け渡すようにして設けることで、隣接する笠木本体１１同士を連結できる。
【００２２】
前記補助笠木部材１２は、前記笠木本体１１と同じくアルミ等の金属を押出成形してなり、笠木本体１１の長さ方向に沿って長尺に形成されている。
そして、この補助笠木部材１２は、前記外壁材２の表面に沿って垂下する垂直板部１２ａと、この垂直板部１２ａと一体形成され、前記笠木本体１１の上面を覆う上面板部１２ｂと、前記笠木本体１１の被差込部１３に対して差し込まれる差込部１４とを備えている。この差込部１４は、前記垂直板部１２ａの裏面から屋内側に向かって突出するようにして設けられている。
【００２３】
また、前記上面板部１２ｂと前記笠木本体１１の上面部１１ａとの間には防水処理が施されており、これら補助笠木部材１２と笠木本体１１との間から雨水が浸入するのを防ぐことができ、手摺壁１付近の防水性を向上できるようになっている。なお、これら補助笠木部材１２と笠木部材との間には補助防水材１６が設けられている。
【００２４】
なお、防水については、前記外壁材２と笠木本体１１との間にも防水処理が施されており、これら外壁材２と笠木本体１１との間から雨水が浸入するのを防ぐことができ、手摺壁１付近の防水性を向上できるようになっている。
防水処理が施されている箇所は、図１に示すように、まず、前記上面部１１ａの裏面と、手摺壁１の屋内側表面に取り付けられた外壁材２の上面との間に第１防水材１７が設けられている。また、前記側面部１１ｂの下端部裏面と、屋内側の外壁材２の表面との間に第２防水材１８が設けられている。さらに、前記被差込部１３の下面と、屋外側の外壁材２の上面との間に第３防水材１９が設けられている。
【００２５】
なお、前記補助防水材１６や第１防水材１７、第２防水材１８、第３防水材１９は、防水性の高い材料であるだけでなく、弾力性を有する材料であることが好ましい。すなわち、弾力性を有することによって、前記笠木本体１１および補助笠木部材１２の、差込部１４と被差込部１３との差込方向に沿った移動に対応することができる。
【００２６】
前記接続手段は、上述したように屋外側に向かって開口する被差込部１３と、前記被差込部１３に差し込まれる差込部１４とを備えており、これによって、前記笠木本体１１および補助笠木部材１２は、前記差込部１４と被差込部１３との差込深さに応じて、これら差込部１４および被差込部１３の差込方向に沿って互いに位置調整可能となっている。
【００２７】
また、前記前記被差込部１３および差込部１４に、互いに係合する凹凸部１３ａ，１４ａが形成されており、これら凹凸部１３ａ，１４ａが互いに係合し合うことによって、被差込部１３と差込部１４とを強固に接続することができる。
【００２８】
前記被差込部１３および差込部１４の凹凸部１３ａ，１４ａは、それぞれ複数の凹部と凸部が差込方向に沿って並設された状態となっているので、前記差込部１４の被差込部１３に対する差込深さに応じて段階的に互いに係合し合うようになる。
すなわち、必ずしも差込部１４を被差込部１３に対して奥深く差し込む必要は無く、所望の差込深さで差込部１４の差込動作をやめたとしても、被差込部１３と差込部１４との良好な係合状態を維持することが可能となる。
【００２９】
一方、このような接続手段によって、前記笠木本体１１と補助笠木部材１２とを接続できるようになっているので、前記笠木本体１１および補助笠木部材１２は、前記差込部１４と被差込部１３との差込深さに応じて、これら差込部１４および被差込部１３の差込方向に沿って互いに位置調整可能となっている。
【００３０】
すなわち、前記笠木本体１１と補助笠木部材１２との位置調整方法としては、前記差込部１４を被差込部１３に対して深く差し込むと、これら差込部１４および被差込部１３の差込方向に沿って前記笠木本体１１と補助笠木部材１２とを接近させることができ、逆に前記差込部１４を被差込部１３に対して浅く差し込むと、これら差込部１４および被差込部１３の差込方向に沿って前記笠木本体１１と補助笠木部材１２とを離間させることができる、というものである。
【００３１】
このような位置調整方法は、例えば手摺壁１の屋外側表面および屋内側表面に膨らみや凹み等の誤差が生じている場合にも対応することができる。つまり、以上のように前記差込部１４と被差込部１３との差込深さを調節することで、笠木本体１１と補助笠木部材１２とを誤差に合わせて位置調整できるので、手摺壁１の屋外側表面および屋内側表面に生じる膨らみや凹み等の誤差を確実に吸収することができる。
【００３２】
本実施の形態によれば、前記笠木本体１１および補助笠木部材１２は、前記差込部１４と被差込部１３との差込深さに応じて、これら差込部１４および被差込部１３の差込方向に沿って互いに位置調整可能となっているので、前記差込部１４を被差込部１３に対して深く差し込むと、これら差込部１４および被差込部１３の差込方向に沿って前記笠木本体１１と補助笠木部材１２とを接近させることができ、逆に前記差込部１４を被差込部１３に対して浅く差し込むと、これら差込部１４および被差込部１３の差込方向に沿って前記笠木本体１１と補助笠木部材１２とを離間させることができる。これによって、前記外壁材２の表面と前記垂直板部１２ａの表面との間の距離を縮めることができるので、従来に比して、前記手摺用笠木１０の屋外側への出っ張りを極力小さくすることができ、手摺壁１付近の外観性を向上させることができる。
その上、例えば手摺壁１の屋外側表面および屋内側表面に膨らみや凹み等の誤差が生じている場合であっても、前記差込部１４と被差込部１３との差込深さを調節することで、笠木本体１１と補助笠木部材１２とを誤差に合わせて位置調整できるので、膨らみや凹み等の誤差を確実に吸収することができる。
【００３３】
（第２の実施の形態）
次に、図面を参照して本発明の第２の実施の形態について説明する。なお、説明の便宜上、上述した第１の実施の形態とは異なる構成部分のみについて説明する。
【００３４】
本実施の形態の手摺用笠木１０Ａは、図２に示すように、例えばパラペット等として利用される手摺壁１Ａの上端に設けられるものである。本実施の形態の手摺壁１Ａには、この手摺壁１Ａの屋外側表面のみに外壁材２Ａが取り付けられている。
【００３５】
また、手摺用笠木１０Ａは、前記手摺壁１Ａの上端に固定される笠木本体１１Ａと、前記外壁材２Ａの表面に沿って垂下する垂直板部１２Ａａを有する補助笠木部材１２Ａと、これら笠木本体１１Ａと補助笠木部材１２Ａとを接続する接続手段とを備えている。
この接続手段は、前記笠木本体１１Ａに形成され、屋外側に向かって開口する被差込部１３Ａと、前記補助笠木部材１２Ａに形成され、前記被差込部１３Ａに差し込まれる差込部１４Ａとを備えており、前記笠木本体１１Ａおよび補助笠木部材１２Ａは、前記差込部１４Ａと被差込部１３Ａとの差込深さに応じて、これら差込部１４Ａおよび被差込部１３Ａの差込方向に沿って互いに位置調整可能となっている。
【００３６】
前記笠木本体１１Ａは、前記手摺壁１Ａの上面の中央部から屋外側端部にかけての範囲を覆うカバー部１１Ａａと、このカバー部１１Ａａの内側に連結され、手摺壁１Ａの上面に固定される固定部１１Ａｂとを備えている。また、前記カバー部１１Ａａの屋外側端部に、前記被差込部１３Ａが形成されている。
【００３７】
また、前記補助笠木部材１２Ａは、前記外壁材２Ａの表面に沿って垂下する垂直板部１２Ａａと、この垂直板部１２Ａａと一体形成され、前記笠木本体１１Ａの上面を覆う上面板部１２Ａｂと、前記笠木本体１１Ａの被差込部１３Ａに対して差し込まれる差込部１Ａ４とを備えている。この差込部１４Ａは、前記垂直板部１２Ａａの裏面から屋内側に向かって突出するようにして設けられている。
【００３８】
なお、前記被差込部１３Ａおよび差込部１４Ａに、互いに係合する凹凸部１３Ａａ，１４Ａａが形成されており、被差込部１３Ａと差込部１４Ａとを強固に接続できるようになっている。
【００３９】
一方、前記手摺壁１Ａには、この手摺壁１Ａの上面の中央部から屋内側表面、さらには建物の屋上面（図示せず）にかけて防水シート２０が敷設され、接着等の方法により強固に取り付けられている。
【００４０】
そして、前記防水シート２０は、この防水シート２０の端部が、前記笠木本体１１Ａの固定部１１Ａｂを手摺壁１Ａに止着するための止着材１１Ａｃによって前記手摺壁１Ａの上面に止着されている。したがって、前記防水シート２０の端部を、前記笠木本体１１Ａの固定部１１Ａｂによって前記手摺壁１Ａの上面に押さえつけて固定することができるようになっている。
【００４１】
なお、本実施の形態において前記笠木本体１１Ａを、前記補助笠木部材１２Ａに対して位置調整する際は、笠木本体１１Ａの固定部１１Ａｂを止着材１１Ａｃによって手摺壁１Ａの上面に止着する前に位置調整しておくことが望ましい。
【００４２】
なお、前記外壁材２Ａの上面と、笠木本体１１Ａの被差込部１３Ａとの間に、防水材１９Ａが取り付けられて防水処理が施されている。また、前記上面板部１２Ａｂと笠木本体１１Ａの上面との間に、防水材１６Ａが取り付けられて防水処理が施されている。
【００４３】
本実施の形態によれば、第１の実施の形態と同じ効果を得ることができるとともに、例えば手摺壁１Ａの表面に防水シート２０を敷設する場合にも対応することができる。すなわち、前記防水シート２０の端部が、前記止着材１１Ａｃによって手摺壁１Ａの上面に止着されており、手摺壁１Ａの上面に押さえつけられて固定されているので、防水シート２０が端部から剥がれることを防ぐとともに、端部から雨水等が浸入することを防ぐことができる。
【００４４】
（第３の実施の形態）
次に、図面を参照して本発明の第３の実施の形態について説明する。なお、説明の便宜上、上述した第１および第２の実施の形態とは異なる構成部分のみについて説明する。
【００４５】
本実施の形態の手摺用笠木１０Ｂは、図３に示すように、例えばバルコニー等として利用される手摺壁１Ｂの上端に設けられるものである。本実施の形態の手摺壁１Ｂには、この手摺壁１Ｂの屋外側表面および屋内側表面に外壁材２Ｂが取り付けられている。
【００４６】
また、手摺用笠木１０Ｂは、前記手摺壁１Ｂの上端に固定される笠木本体１１Ｂと、前記外壁材２Ｂの表面に沿って垂下する垂直板部１２Ｂａを有する補助笠木部材１２Ｂと、これら笠木本体１１Ｂと補助笠木部材１２Ｂとを接続する接続手段とを備えている。
この接続手段は、前記笠木本体１１Ｂに形成され、屋外側に向かって開口する被差込部１３Ｂと、前記補助笠木部材１２Ｂに形成され、前記被差込部１３Ｂに差し込まれる差込部１４Ｂとを備えており、前記笠木本体１１Ｂおよび補助笠木部材１２Ｂは、前記差込部１４Ｂと被差込部１３Ｂとの差込深さに応じて、これら差込部１４Ｂおよび被差込部１３Ｂの差込方向に沿って互いに位置調整可能となっている。
【００４７】
しかも、前記補助笠木部材１２Ｂの垂直板部１２Ｂａの表面に、前記外壁材２Ｂと同一材料からなる補助外壁材２Ｂａが取り付けられており、この補助外壁材２Ｂａの表面は、前記外壁材２Ｂの表面と略面一となっている。
【００４８】
なお、本実施の形態の垂直板部１２Ｂａは、前記笠木本体１１Ｂの上面を覆う上面板部１２Ｂｂと、一端が垂直板部１２Ｂａの下端部に一体形成されるとともに、他端が手摺壁１Ｂの屋外側表面に固定される支持脚１２Ｂｃを備えており、この支持脚１２Ｂｃは、垂直板部１２Ｂａを手摺壁１Ｂの屋外側表面から所定の位置に離間するように支持できるようになっている。
また、この所定の位置とは、前記補助笠木部材１２Ｂの垂直板部１２Ｂａの表面に取り付けられた補助外壁材２Ｂａの表面と、前記外壁材２Ｂの表面とが略面一となるような位置である。
【００４９】
一方、本実施の形態おいては、前記補助笠木部材１２Ｂが、前記支持脚１２Ｂｃを備えることで前記手摺壁１Ｂの表面に固定されることとなるので、前記接続手段によって笠木本体１１Ｂと補助笠木部材１２Ｂとを位置調整可能する際は、前記笠木本体１１Ｂを、前記差込部１４Ｂおよび被差込部１３Ｂの差込方向に沿って、補助笠木部材１２Ｂに対して接近または離間させるようにする。
【００５０】
なお、前記屋内側表面に取り付けられた外壁材２Ｂの上面と、この外壁材２Ｂの上端部表面には、笠木本体１１Ｂの裏面との間に、防水材１７Ｂ，１８Ｂがそれぞれ取り付けられており、二重に防水処理が施されているので、良好な防水性を保持することが可能となる。さらに、防水材１７Ｂ，１８Ｂは弾力性を有している。
すなわち、前記手摺壁１Ｂに対して、前記笠木本体１１Ｂと補助笠木部材１２Ｂとの位置関係を調整することによって、前記手摺用笠木１０Ｂの前方への出っ張りを極力小さくしたり、手摺壁１Ｂに生じる誤差を吸収したりできるが、この際、例えば手摺壁１Ｂに生じる誤差は、手摺壁１Ｂの各部位によって異なり、手摺用笠木１０Ｂと手摺壁１Ｂとの間に生じる隙間の大きさにバラつきが出る場合がある。この時、以上のような防水材１７Ｂ，１８Ｂによれば、手摺用笠木１０Ｂと手摺壁１Ｂとの間に生じる隙間のバラつきに対応して変形し、適宜防水処理を施すことができるので、より良好な防水性を保持することが可能となる。
また、前記上面板部１２Ｂｂと笠木本体１１Ｂの上面との間に、防水材１６Ｂが取り付けられて防水処理が施されている。
【００５１】
本実施の形態によれば、第１の実施の形態と同じ効果を得ることができるとともに、前記補助笠木部材１２Ｂの表面に、前記外壁材２Ｂと同一材料からなる補助外壁材２Ｂａが取り付けられており、この補助外壁材２Ｂａの表面は、前記外壁材２Ｂの表面と略面一となっているので、手摺壁１Ｂ付近の外観性をより向上させることができる。
また、このように前記補助外壁材２Ｂａの表面と、前記外壁材２Ｂの表面とが略面一となっているので、前記差込部１４Ｂと被差込部１３Ｂとの差込深さを調節することによって、前記補助笠木部材１２Ｂに対して笠木本体１１Ｂの位置を調整することができる。これによって、例えば手摺壁１Ｂの屋内側表面に膨らみや凹み等の誤差が生じている場合であっても、前記差込部１４Ｂと被差込部１３Ｂとの差込深さを調節することで、笠木本体１１Ｂを誤差に合わせて位置調整できるので、膨らみや凹み等の誤差を確実に吸収することができる。
【図面の簡単な説明】
【００５２】
【図１】本発明の第１の実施の形態に係る手摺用笠木を示す側断面図である。
【図２】本発明の第２の実施の形態に係る手摺用笠木を示す側断面図である。
【図３】本発明の第３の実施の形態に係る手摺用笠木を示す側断面図である。
【符号の説明】
【００５３】
１  手摺壁
２  外壁材
１０  手摺用笠木
１１  笠木本体
１２  補助笠木部材
１３  被差込部
１４  差込部
【図１】
2008231667.tif 000003
【図２】
2008231667.tif 000004
【図３】
2008231667.tif 000005